(57)【要約】【課題】２重構造の屋根本体を外壁に簡単に取り付けることができると共に下屋根の角度を適宜変更可能な組立屋根を提供することを課題とする。【解決手段】屋根本体２と、これを支持する梁材３と、屋根本体２および梁材３を外壁Ｗに支持する壁取付け枠５と、を備えた壁付けタイプの組立屋根において、屋根本体２は、棟側端部を壁取付け枠５に支持された上屋根７と、棟側が上屋根７の軒側に重なって配設され且つ梁材３に支持された下屋根８とを有し、壁取付け枠５は、上屋根７の棟側端部を支持固定する上支持部６１と、梁材３の棟側端部を外壁Ｗに対し角度変更可能に支持固定する下支持部６２と、これらを連結する連結部６３と、外壁Ｗに固定するための外壁固定部６４，６５と、を有している。【選択図】  図４
2004285661.tif 000002
【特許請求の範囲】
【請求項１】
棟側を建物の外壁に支持された上屋根と、棟側が前記上屋根の軒側に重なって配設された下屋根とを備えた壁付けタイプの組立屋根において、
前記上屋根に対し前記下屋根が、水平面内において角度変更可能且つ梁間方向に位置変更可能に連結されていることを特徴とする組立屋根。
【請求項２】
屋根本体と、前記屋根本体を支持する複数本の梁材と、建物の外壁に固定され前記屋根本体の棟側端部および前記複数の梁材の棟側端部を支持する壁取付け枠と、を備えた壁付けタイプの組立屋根において、
前記屋根本体は、棟側端部を前記壁取付け枠に支持された上屋根と、棟側が前記上屋根の軒側に重なって配設され且つ前記複数本の梁材に支持された下屋根とを有し、
前記壁取付け枠は、前記複数本の梁材の棟側端部を前記外壁に対し角度変更可能に支持固定していることを特徴とする組立屋根。
【請求項３】
前記壁取付け枠は、前記上屋根の棟側端部を支持固定する上支持部と、前記複数本の梁材の棟側端部を前記外壁に対し角度変更可能に支持固定する下支持部と、前記上支持部と前記下支持部とを連結する連結部と、前記外壁に固定するための外壁固定部とを有していることを特徴とする請求項２に記載の組立屋根。
【請求項４】
前記上支持部、前記下支持部と、前記連結部および前記外壁固定部が、一体に成形された形材で構成されていることを特徴とする請求項３に記載の組立屋根。
【請求項５】
前記下支持部は、前記各梁材に対しその上面に当接した状態でねじ止めされていることを特徴とする請求項３または４に記載の組立屋根。
【請求項６】
前記下屋根は、棟側の端部に下屋根後枠を有し、
前記下屋根後枠は、下端が前記各梁材の上面に着座し且つ上端が前記上屋根の下面に当接していることを特徴とする請求項２ないし５のいずれかに記載の組立屋根。
【請求項７】
前記上屋根は、軒側の端部に上屋根前枠を有し、
前記上屋根前枠は、前記下屋根の上面に固定されていることを特徴とする請求項１ないし６のいずれかに記載の組立屋根。
【発明の詳細な説明】
【０００１】
【発明の属する技術分野】
本発明は、２重構造の屋根を有するカーポートやテラス屋根等の組立屋根に関するものである。
【０００２】
【従来の技術】
従来のこの種のカーポートとして、片流れタイプの２重構造の屋根を、両側に設けた各一対の支柱により両持ちで支持したものが知られている（例えば、特許文献１参照）。
このカーポートは、主屋根と、主屋根を支持する２本の主梁材と、２本の主梁材をそれぞれ支持する２本の主支柱を備えると共に、副屋根と、副屋根を支持する２本の副梁材と、２本の副梁材をそれぞれ支持する２本の副支柱とを備えている。各主梁材の中空部には対応する副梁材が挿入されており、主梁材と副梁材はその接合長さを調整可能に接合されている。また、主屋根に対し副屋根が上側に位置し、主副両屋根は、主屋根の棟側と副屋根の軒側とが重なるように配設されている。
このカーポートでは、主梁材と副梁材との接合長さを調整することにより、主屋根と副屋根との重なり寸法が調整され、両屋根の重なり寸法分、カーポートの間口寸法が自在に変更できるようになっている。
【０００３】
【特許文献１】
特開平１１−３２４３７２号公報（第３頁、図２）
【０００４】
【発明が解決しようとする課題】
ところで、カーポートを設置するスペースが、建物の外壁と敷地境界線との間であって、外壁に対し敷地境界線が平行ではなく斜めである変形スペースとなる場合がある。この場合に、上記の従来のカーポートをこの変形スペースに設置しようとすると、主屋根を敷地境界線に沿わせるべく平面視傾けて設置する必要があり、これに対応して２本の梁材を傾けて設置する必要がある。
主屋根は、副屋根との重なり部分により容易に傾けて設置できるが、梁材は、主梁材と副梁材との接合部分を屈曲させることができないため、副梁材の副支柱への取り付け部分で傾きを取る必要がある。
かかる場合に、少なくとも副梁材の副支柱への取り付け部分は、副梁材を傾き角度に合わせて切断すると共に、その補強材等を、傾き角度にあった専用のものを用意する必要があり、汎用性が損なわれると共に現場施工が煩雑になる問題がある。
【０００５】
本発明は、２重構造の屋根本体を有する壁付けタイプの組立屋根にあって、屋根本体を外壁に簡単に取り付けることができると共に外壁に対する下屋根の角度を適宜変更可能な組立屋根を提供することを課題としている。
【０００６】
【課題を解決するための手段】
本発明の組立屋根は、棟側を建物の外壁に支持された上屋根と、棟側が上屋根の軒側に重なって配設された下屋根とを備えた壁付けタイプの組立屋根において、上屋根に対し下屋根が、水平面内において角度変更可能且つ梁間方向に位置変更可能に連結されていることを特徴とする。
【０００７】
この構成によれば、一部がオーバーラップするように設けた上屋根と下屋根とを、このオーバーラップ部分の範囲内において、梁間方向に位置変更することにより、組立屋根の間口寸法を所望の寸法に変更（調節）することができる。同様に、オーバーラップ部分の範囲内において、角度変更することにより、例えば変形敷地などに合わせて組立屋根の平面形状を変更することができる。
【０００８】
本発明の他の組立屋根は、屋根本体と、屋根本体を支持する複数本の梁材と、建物の外壁に固定され屋根本体の棟側端部および複数の梁材の棟側端部を支持する壁取付け枠と、を備えた壁付けタイプの組立屋根において、屋根本体は、棟側端部を壁取付け枠に支持された上屋根と、棟側が上屋根の軒側に重なって配設され且つ複数本の梁材に支持された下屋根とを有し、壁取付け枠は、複数本の梁材の棟側端部を外壁に対し角度調整可能に支持固定していることを特徴とする。
【０００９】
また、壁取付け枠は、上屋根の棟側端部を支持固定する上支持部と、複数本の梁材の棟側端部を外壁に対し角度変更可能に支持固定する下支持部と、上支持部と下支持部とを連結する連結部と、外壁に固定するための外壁固定部とを有していることが、好ましい。
【００１０】
これらの構成によれば、壁取付け枠は、その外壁固定部により建物の外壁に固定され、この状態でその上支持部には上屋根の棟側端部が、下支持部には複数本の梁材の棟側端部がそれぞれ支持固定され、且つ連結部により上支持部および下支持部を介して下屋根と梁材が上下方向に相互に位置決めされる。一方、屋根本体は、上屋根と、棟側が上屋根の軒側に重なって配設された下屋根とから成るため、両者の重なり部分（オーバーラップ部分）の寸法分、その勾配方向（間口）の寸法を長短調節することができる。その際、複数本の梁材として予め長めのもの（最大間口寸法に対応）を用意し、これを現場合わせで切断する。
また、複数本の梁材を支持固定する壁取付け枠の下支持部が、各梁材の棟側端部を外壁に対し角度変更可能に支持固定する構造となっているため、例えば上記した変形スペースにも対応させることができる。すなわち、各梁材は、それぞれ外壁と敷地境界線との離間距離に合わせて切断され、且つ敷地境界線に直角となるように平面視傾けた状態で壁取付け枠の下支持部に固定される一方、下屋根は、上屋根との重なり部分で平面視傾けて設置される。なお、記載中の「角度変更可能に支持固定する」は、支持固定した状態で角度変更可能なものであってもよいし、角度変更した状態で支持固定するものであってもよい。
【００１１】
この場合、上支持部、下支持部と、連結部および外壁固定部が、一体に成形された形材で構成されていることが、好ましい。
【００１２】
この構成によれば、壁取付け枠を、押出し形材等で簡単に形成することができ、且つ一体として建物の外壁に簡単に取り付けることができる。
【００１３】
これらの場合、下支持部は、各梁材に対しその上面に当接した状態でねじ止めされていることが、好ましい。
【００１４】
この構成によれば、下支持部に対し各梁材を、角度変更した状態で簡単に支持固定することができる。また、各梁材を斜めに設置する場合において、その切断端が外壁と平行でなくても支持固定に支障を生ずることがない。
【００１５】
これらの場合、下屋根は、棟側の端部に下屋根後枠を有し、下屋根後枠は、下端が各梁材の上面に着座し且つ上端が上屋根の下面に当接していることが、好ましい。
【００１６】
この構成によれば、棟側端部を壁取付け枠に支持された上屋根が、下屋根後枠によりその軒側を支持されることになる。すなわち、下屋根後枠が上屋根の母屋的な機能を奏することになる。しかも、上屋根のこの部分に母屋を設けた場合には、下屋根を傾けて設置するときに母屋と干渉するおそれがあるが、この下屋根後枠では、かかる不具合は生じない。
【００１７】
これらの場合、上屋根は、軒側の端部に上屋根前枠を有し、上屋根前枠は、下屋根の上面に固定されていることが、好ましい。
【００１８】
この構成によれば、強風時等において、上屋根が浮き上がるのを有効に防止することができ、且つ上屋根の軒側端部に母屋を設けない場合に特に有用となる。
【００１９】
【発明の実施の形態】
以下、添付図面を参照して、本発明の組立屋根をカーポートに適用した実施形態について説明する。このカーポートは、棟側を建物の外壁に固定する、いわゆる壁付けタイプのものであり、且つその間口寸法を調整可能とする２重屋根構造の屋根を有している。なお、以下、梁間方向（屋根の勾配方向）の「軒側」を「前」とし「棟側」を「後」として説明すると共に、桁行方向を「左右」として説明を進める。
【００２０】
図１の側面図、図２の正面図および図３の平面図に示すように、このカーポート１は、前後方向に僅かに湾曲した片流れの２重構造のカーポート屋根（屋根本体）２と、カーポート屋根２を支持する左右一対の梁材３，３と、各梁材３の前端側を支持する左右一対の支柱４，４と、カーポート屋根２の後端側および各梁材３の後端側を建物の外壁Ｗに支持するための壁取付け枠５とで構成されている。
【００２１】
カーポート屋根２は、外壁Ｗ側に位置する上屋根７と、支柱４側に位置する下屋根８とから成り、上屋根７の前側と下屋根８の後側とは、所定の寸法に亘り重なって（オーバーラップして）配設されている。上屋根７に対し下屋根８は、前後方向に十分短く形成されており、下屋根８は上記の一対の梁材３，３に支持され、上屋根７は、前端部を下屋根８の後端部に支持されると共に後端部を壁取付け枠５に支持されている。
【００２２】
図４および図５の拡大図に示すように、上屋根７は、いずれもアルミニウムの形材等で形成された上屋根前枠１１および両上屋根側枠１２，１２と、上屋根後枠を兼ねる壁取付け枠（の上支持部６１）５により四周が枠組みされている。なお、実施形態の下屋根７は、前後方向が極端に短いため母屋が省略されているが、長い場合には重なり部分を外して母屋を設けるようにしてもよい。上屋根前枠１１および壁取付け枠５間には、垂木材の機能を有する複数本の屋根葺き材受け１４が、上屋根側枠１２に平行に掛け渡されている。また、各上屋根側枠１２と各屋根葺き材受け１４と間、および各屋根葺き材受け１４同士の間には、上屋根前枠１１および壁取付け枠５間に渡すように短冊パネル状の複数枚の屋根葺き材１５が配設されており、各屋根葺き材１５は、屋根葺き材受け１４に対応して設けた屋根葺き材押さえ１６により、屋根葺き材受け１４に固定されている。
【００２３】
なお、各上屋根側枠１２は、屋根葺き材受け１４および屋根葺き材押さえ１６を組み合わせたものとほぼ同一の基本形態を有しているが、左右の片側でのみ屋根葺き材１５の側端部を保持する構造となっている。また、屋根葺き材１５を保持している部分には、雨仕舞いおよびガタつき防止のために、表裏両側においてシール材１７が介設されている。
【００２４】
上屋根前枠１１は、下屋根８の上面に固定されており、下屋根８の上面に着座する前枠中空部１９と、前枠中空部１９の上側に形成した呑込み溝部２０と、下枠中空部１９から前方に「Ｌ」字状に延びる掛止部２１とで、一体に形成されている。呑込み溝部２０には、屋根葺き材１５の前端部が保持され、掛止部２１には、下屋根８の複数本の屋根葺き材押さえ３７を介して各屋根葺き材受け３５（いずれも後述する）にそれぞれねじ止めされた複数個の掛止金具２２が掛止されている。すなわち、上屋根７の前端部は、下屋根８の上面に着座した上屋根前枠１１を介して、下屋根８の上面に固定されている。これにより、上屋根７の前端部が強風により浮き上がるのを防止している。
【００２５】
同様に、下屋根８は、いずれもアルミニウムの形材等で形成された下屋根前枠３１、下屋根後枠３２および両下屋根側枠３３，３３により四周が枠組みされており、さらにこれらと、両下屋根側枠３３，３３間に掛け渡した複数本の母屋３４とで、下屋根８の主構造部が構成されている。下屋根前枠３１および下屋根後枠３２には、複数本の屋根葺き材受け３５が掛け渡されている。また、各下屋根側枠３３と各屋根葺き材受け３５と間、および各屋根葺き材受け３５，３５同士の間には、下屋根前枠３１および下屋根後枠３２間に渡すように短冊パネル状の複数枚の屋根葺き材３６が配設されており、各屋根葺き材３６は、屋根葺き材受け３５に対応して設けた屋根葺き材押さえ３７により、屋根葺き材受け３５に固定されている。この場合も、屋根葺き材１５を保持している部分には、表裏両側においてシール材３８が介設されている。
【００２６】
下屋根前枠３１は、支柱４の上端部に固定した前枠本体４０と、前枠本体４０から前方に立ち上がるようにして延びる樋部４１と、前枠本体４０の上側に形成され屋根葺き材３６の前端部を保持する呑込み溝部４２とで一体に形成されている。各下屋根側枠３３は、側部を湾曲形成した本体中空部４４と、本体中空部４４の上部から内側に水平に延びる屋根葺き材受け部４５と、屋根葺き材３６の側端部を挟み込んで屋根葺き材受け部４５に対向して設けた屋根葺き材押さえ片４６とを有している。
【００２７】
下屋根後枠３２は、梁材３の上面に着座する本体中空部４８と、本体中空部４８から前方に延びる固定片４９と、本体中空部４８の上側に形成され屋根葺き材３６の後端部を保持する呑込み溝部５０と、弧状に形成した本体中空部４８および呑込み溝部５０の後壁に連なり上屋根７の下面に当接する当接片５１とで、一体に形成されている。すなわち、下屋根後枠３２は、その本体中空部４８を介して各梁材３の上面に着座すると共に、その当接片５１を介して上屋根７の下面（屋根葺き材受け１４）に当接しており、上屋根７の前側に対し母屋的な機能を有している。なお、上屋根７に対する下屋根８の傾き角度が比較的小さい場合には、上記の当接片５１を上屋根７の下面に当接する構造とする必要はない（母屋的機能なし）。
【００２８】
各支柱４とこれに対応する梁材３は、いずれもアルミニウムの形材等で形成され、且ついずれも断面略方形の中空形状を有している。支柱４の上端部後壁は方形に切り欠かかれており、この部分に梁材３の前端部が差し込まれ、内蔵する図示しない補強部材により、支柱４と梁材３とが強固に接合されている。
【００２９】
上述したように、カーポート屋根２は全体として湾曲（アール屋根）している。このため、これを受ける各梁材３も、後部の直線部３ａを残して前下がりに僅かに湾曲している。直線部３ａは、梁材３の切詰め部分（詳細は後述する）であり、略５００ｍｍの長さを有している。すなわち、実施形態のカーポート１は、この５００ｍｍの範囲でその間口寸法を長短調整できるようになっている。これに対応して、上屋根７と下屋根８のオーバーラップ寸法は、５００ｍｍ以上となる。
【００３０】
一方、壁取付け枠５は、上屋根７の後端部を支持固定する上支持部６１と、２本の梁材３，３の後端部を外壁Ｗに対し角度変更可能に支持固定する下支持部６２と、上支持部６１および下支持部６２間を連結する連結部６３と、外壁Ｗに固定するための上外壁固定部６４および下外壁固定部６５とを有しており、アルミニウムの形材等で一体に形成されている。
【００３１】
上外壁固定部６４は、上支持部６１の上端から上側に延びる取付け片６４ａと、取付け片６４ａから直角に延びる壁突当て片６４ｂとから成り、取付け片６４ａを貫通して外壁Ｗに螺合したコーチネジ６６等により外壁Ｗに固定されている。同様に、下外壁固定部６５は、下支持部６２の後端から下側に延在すると共に脚部分を有して断面「コ」字状に形成されており、コーチネジ６６等により外壁Ｗに固定されている。
【００３２】
上支持部６１は、上述したように上屋根後枠を兼ねており、屋根葺き材１５の後端部を保持する呑込み溝部６１ａと、呑込み溝部６１ａから前方に延びる屋根固定部６１ｂとで構成されている。屋根固定部６１ｂには、シール材１７を介在した状態で各屋根葺き材押さえ１６の上側から螺合した固定ビス６７が設けられている。そして、屋根固定部６１ｂの前端から上記の連結部６３が下支持部６２に向かって直角に延びている。この場合、略鉛直方向に延びる連結部６３により、上屋根７と各梁材３との上下の離間寸法が維持されている。なお、図中の符号６８は、防水用のコーキング材である。
【００３３】
下支持部６２は、梁材３の上面に添って延在しており、連結部６３から後方に延在して下外壁固定部６５に連なる着座部６２ａと、連結部６３から前方に延びるねじ取付け部６２ｂとから成り、ねじ取付け部６２ｂから梁材３に螺合した２本の固定ねじ６９，６９により、壁取付け枠５と梁材３とが相互に固定されている。この場合、壁取付け枠５と梁材３とを強固に固定すべく、ねじ取付け部６２ｂの上面には座板７１が設けられ、梁材３の中空内部には、２本の固定ねじ６９，６９が螺合する裏板７２がビス止めされている。
【００３４】
ここで、図３および図４を参照して、本実施形態のカーポート１において、単純に間口寸法の調整を行う場合と、変形敷地に対応して水平面内における下屋根８の角度調整を行う場合とについて説明する。実施形態のカーポート１では、これらの調整を現場合わせで行うようにしており、その際、現場での主な加工作業が２本の梁材３，３の切詰めで行えるようにしている。このため、現場に搬入される２本の梁材３，３は、このカーポート１における最大間口寸法に対応するものとなる。
【００３５】
図４に示すように、カーポート１の間口寸法を調整する場合には、先ず２本の支柱４，４に２本の梁材３，３を組み付けておくと共に、壁取付け枠５を外壁Ｗに水平に固定する。ここで、各支柱４と壁取付け枠５との間の間口寸法に合わせて２本の梁材３，３をカッターで切断して切り詰める。この場合、各梁材３はその直線部３ａを直角に端部切断する。また、梁材３を切断した後、これに固定ねじ６９用の２つの貫通孔３ｂ，３ｂを形成（図５参照）すると共に、これに合わせて裏板７２をねじ止めする。次に、２本の梁材３，３および２本の支柱４，４を立ち上げ、支柱４，４を施工位置に立設すると共に、２本の梁材３，３の端部を壁取付け枠５に仮固定する。また同時に、角材になどで各梁材３および各支柱４を支えておく。ここで、基礎コンクリートを打設し、養生後、角材を外すと共に各梁材３を壁取付け枠５に本固定する。その後、梁材３の上に下屋根８を組み付け、さらに上屋根７を組み付けて作業を完了する。
【００３６】
図３に示すように、変形敷地に対し下屋根８の角度調整（角度変更）を行う場合には、上記と同様に、敷地境界線Ｓに合わせて２本の支柱４，４、２本の梁材３，３および壁取付け枠５の施工と、これに相前後して左右の間口寸法に合わせて２本の梁材３，３をそれぞれの寸法に切り詰める。この場合も、各梁材３はその直線部３ａを直角に端部切断され、且つ固定ねじ６９用の２つの貫通孔３ｂ，３ｂの形成および裏板７２のねじ止めを行う。ただしこの場合には、２つの貫通孔３ｂ，３ｂは外壁Ｗに平行に並ぶが、梁材３が外壁Ｗに対し傾いて設置されるため、貫通孔３ｂ，３ｂの形成は壁取付け枠５を取り付けた後、この壁取付け枠５と支柱４との間に梁材３を宛がって孔の位置に印をしてから、行うことが好ましい。
【００３７】
このようにして、支柱４、梁材３および壁取付け枠５を施工したら、上記と同様に、梁材３の上に下屋根８を組み付け、さらに上屋根７を外壁Ｗに平行に組み付けて作業を完了する。なお、この場合には、下屋根８の前端が敷地境界線Ｓと平行になるように施工することが前提となるため、下屋根８は元より、これを支持する梁材３および支柱４も外壁Ｗに対し傾いて設置される。したがって、この外壁Ｗとの傾き角度を、予め測定しておくことが好ましい。
【００３８】
以上のように本実施形態によれば、上屋根７と下屋根８がオーバーラップして配設されているため、このオーバーラップ寸法の範囲内において、各梁材３を切り詰めることにより、カーポート１の間口寸法を簡単に調整することができる。また、梁材３を外壁Ｗに対し敷地境界線Ｓが平行でなく傾いている設置スペースに対しても、梁材３を壁取付け枠５に角度変更可能に固定することができるため、カーポート１をこのような設置スペースに適切且つ簡単に設置することができ、設置スペースに対する汎用性を損なうことがない。
【００３９】
なお、本発明の組立屋根は、上記のカーポートの他、テラス屋根やストックヤード等にも適用可能である。また、実施形態ではアール形状の屋根について説明したが、フラットな屋根にも適用できることは、いうまでもない。
【００４０】
【発明の効果】
以上のように、本発明の組立屋根によれば、上屋根と下屋根との重なり部分を利用して、屋根自体の間口寸法を変更ことができると共に、屋根自体の平面形状を変更することができる。このため、組立屋根を、敷地境界線などに合わせて自在に設置することができる。
【００４１】
また、本発明の他の組立屋根によれば、屋根本体が重なって配設された上屋根と下屋根とから成り、且つ梁材が壁取付け枠に対しし角度変更可能に支持固定されているため、両者の重なり部分（オーバーラップ部分）の寸法分、間口寸法を長短調節することができるだけでなく、変形敷地等に対しても容易に対応させることができる。また、壁取付け枠により、屋根本体を外壁に簡単に取り付けることができる。
【図面の簡単な説明】
【図１】本発明の一実施形態に係るカーポートの側面図である。
【図２】実施形態に係るカーポートの正面図である。
【図３】実施形態に係るカーポートの平面図である。
【図４】実施形態に係るカーポートの拡大裁断側面図である。
【図５】図４におけるＡ−Ａ断面およびＢ−Ｂ断面を半部ずつに分けて表したカーポートの拡大裁断正面図である。
【符号の説明】
１  カーポート、２  カーポート屋根、３  梁材、３ａ  直線部、４  支柱、５  壁取付け枠、７  上屋根、８  下屋根、１１  上屋根前枠、３１  下屋根前枠、６１  上支持部、６２  下支持部、６３  連結部、６４  上外壁固定部、６５  下外壁固定部、６９  固定ねじ、Ｗ  外壁
【図１】
2004285661.tif 000003
【図２】
2004285661.tif 000004
【図３】
2004285661.tif 000005
【図４】
2004285661.tif 000006
【図５】
2004285661.tif 000007